【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
大型水槽内に、搬送ベルト上に設置され且つ上下に回転・移動する複数個のバケット（浮袋）中にエアを吐出させ該バケットに浮力を生じさせて、該搬送ベルトが自動的に回転・駆動して得られた回転力を駆動軸を介して電気的エネルギーに変換する浮力発電装置であって、
（Ａ）左右２つのメインフレーム間に駆動軸に通された受動プーリー、駆動プーリーを上下に設け、該２つのプーリー間に搬送ベルトを掛け、該搬送ベルト上に複数個のバケットを設置する複数個のバケット回転機構、
（Ｂ）駆動プーリーを構成する回転胴面に、互いに平行して複数個の爪穴と複数個の水の逃げ道とを設け、該搬送ベルトの裏面に固着した該爪を前記爪穴に刺すことにより搬送ベルトを順次送るベルトの回転・搬送機構、
（Ｃ）バケット回転機構（Ａ）において、吐出エアを供給する圧縮エアタンクのエア吹出口に、下方駆動プーリーとチェーンを介して連動する回転車の側面に設けた第２エア吹出口を対向させ、同時に下方駆動プーリーに搬送・回転される搬送ベルトに折畳み可能なバケットの開口部が対向するように構成させ、従って、駆動プーリーの回転によりバケットの開口部が圧縮エアタンクのエア吹出口に接するようになる時に、駆動プーリーを構成する回転胴の周縁部に杆等で取り付けられた口開具によりバケットの開口部を開き、その開口部にエアタンクのエア吹出口を当ててエアを吐出する操作が繰り返され、
順次、バケット内にエアが充満する状態で搬送ベルトを上下に回転・移動させ、搬送ベルトが上昇する際には該バケットにエアが充満しており、該搬送ベルトが下降する近傍でバケット押さえ具によりバケット内のエアを抜くことによりバケットが折畳まれるバケットの吸気・排気機構であって、しかも
バケット回転機構（Ａ）が上下に連続して複数個設けられていて、その構造が
（ａ）下段のバケット押さえ具に、該下段のエア吹出口より大きく多量のエアを受容可能なエア吹出口付きの帽子状のエアホッパーを被せるように取り付け、
（ｂ）上段に設けた搬送ベルトが該下段に設けた搬送ベルトより口が大きく、
（ｃ）該上段に設けたバケットが該下段に設けたバケットより口が大きく、
（ｄ）該上段に設けたバケット押し具が該下段に設けたバケット押具より横に長く、
（ｅ）該上段に設けた口開具が該下段に設けた口開具より長く、
（ｆ）該上段に設けた口開車が該下段に設けた口開車より、幅が長く、高く、大きい構造を有するバケットの吸気・排気機構、
（Ｄ）バケット付き搬送ベルトの回転・搬送により発生した回転力を変換して電気的エネルギーを得ることを特徴とする浮力発電装置。
【請求項２】
エアの吐出によるバケットの開口が、該バケットの先端部に軽量骨材棒からなる箱状組立体を取り付けると共に該組立体の先端角部に口開車が付いた開口部とし、該口開車を駆動プーリーに付けられた口開具に嵌め込むように設定して、搬送ベルトの移動に伴い該口開具の移動によりバケット開口部が開くようにした請求項１記載の浮力発電装置。
【請求項３】
回転車が回転弁、回転枠体、前後蓋体から構成される組立体であることを特徴とする請求項１又は２記載の浮力発電装置。
【請求項４】
バケット付き搬送ベルトの回転・移動による浮力発電の初期駆動力は、商業電力、燃料電池、太陽電池、風力発電の１種又はそれらの組合わせからなる電気装置によりエアポンプを可動させ、圧縮エアをバケットに吹き込んで搬送ベルトを可動させ、次に搬送ベルトが順調に動き出したら、別途発電機の電源を入れて発電する機構であることを特徴とする請求項１〜３のいずれかに記載の浮力発電装置。
【請求項５】
回転・搬送機構（Ｂ）を構成する搬送ベルトの両脇にベルトの外れ防止具を設けたことを特徴とする請求項１〜３のいずれかに記載の浮力発電装置。
【請求項６】
搬送ベルト上のバケットが回転中に食出さないように、バケット食出し防止リングをベルトの両脇に設けたことを特徴とする請求項１〜５のいずれかに記載の浮力発電装置。
【請求項７】
バケット回転機構（Ａ）が上段、下段と連続して設けられ、且つ回転車を構成する回転弁が、上段では１サイクル回転弁であり、下段では２サイクル回転弁であるあることを特徴とする請求項１記載の浮力発電装置。
【請求項８】
バケットの生地がＰＶＣ、ナイロン等のプラスチックシート、防水加工した不織布等の軽量・耐久性の防水、機密性シートであることを特徴とする請求項１〜７のいずれかに記載の浮力発電装置。
【手続補正２】
【補正対象書類名】明細書
【補正対象項目名】０００７
【補正方法】変更
【補正の内容】
【０００７】  即ち、本発明は；
（１）大型水槽内に、搬送ベルト上に設置され且つ上下に回転・移動する複数個のバケット（浮袋）中にエアを吐出させ該バケットに浮力を生じさせて、該搬送ベルトが自動的に回転・駆動して得られた回転力を駆動軸を介して電気的エネルギーに変換する浮力発電装置であって、
（Ａ）左右２つのメインフレーム間に駆動軸に通された受動プーリー、駆動プーリーを上下に設け、該２つのプーリー間に搬送ベルトを掛け、該搬送ベルト上に複数個のバケットを設置する複数個のバケット回転機構、
（Ｂ）駆動プーリーを構成する回転胴面に、互いに平行して複数個の爪穴と複数個の水の逃げ道とを設け、該搬送ベルトの裏面に固着した該爪を前記爪穴に刺すことにより搬送ベルトを順次送るベルトの回転・搬送機構、
（Ｃ）バケット回転機構（Ａ）において、吐出エアを供給する圧縮エアタンクのエア吹出口に、下方駆動プーリーとチエーンを介して連動する回転車の側面に設けた第２エア吹出口を対向させ、同時に下方駆動プーリーに搬送・回転される搬送ベルトに折畳み可能なバケットの開口部が対向するように構成させ、従って、駆動プーリーの回転によりバケットの開口部が圧縮エアタンクのエア吹出口に接するようになる時に、駆動プーリーを構成する回転胴の周縁部に杆等で取り付けられた口開具によりバケットの開口部を開き、その開口部にエアタンクのエア吹出口を当ててエアを吐出する操作が繰り返され、
順次、バケット内にエアが充満する状態で搬送ベルトを上下に回転・移動させ、搬送ベルトが上昇する際には該バケットにエアが充満しており、該搬送ベルトが下降する近傍でバケット押さえ具によりバケット内のエアを抜くことによりバケットが折畳まれるバケットの吸気・排気機構であって、しかも
バケット回転機構（Ａ）が上下に連続して複数個設けられていて、その構造が
（ａ）下段のバケット押さえ具に、該下段のエア吹出口より大きく多量のエアを受容可能なエア吹出口付きの帽子状のエアホッパーを被せるように取り付け、
（ｂ）上段に設けた搬送ベルトが該下段に設けた搬送ベルトより口が大きく、
（ｃ）該上段に設けたバケットが該下段に設けたバケットより口が大きく、
（ｄ）該上段に設けたバケット押し具が該下段に設けたバケット押具より横に長く、
（ｅ）該上段に設けた口開具が該下段に設けた口開具より長く、
（ｆ）該上段に設けた口開車が該下段に設けた口開車より、幅が長く、高く、大きい構造を有するバケットの吸気・排気機構、
（Ｄ）バケット付き搬送ベルトの回転・搬送により発生した回転力を変換して電気的エネルギーを得ることを特徴とする浮力発電装置を提供する。また、
（２）エアの吐出によるバケットの開口が、該バケットの先端部に軽量骨材棒からなる箱状組立体を取り付けると共に該組立体の先端角部に口開車が付いた開口部とし、該口開車を駆動プーリーに付けられた口開具に嵌め込むように設定して、搬送ベルトの移動に伴い該口開具の移動によりバケット開口部が開くようにした点にも特徴を有する。また、
（３）回転車が回転弁、回転枠体、前後蓋体から構成される組立体である点にも特徴を有する。また、
（４）バケット付き搬送ベルトの回転・移動による浮力発電の初期駆動力は、商業電力、燃料電池、太陽電池、風力発電の１種又はそれらの組合わせからなる電気装置によりエアポンプを可動させ、圧縮エアをバケットに吹き込んで搬送ベルトを可動させ、次に搬送ベルトが順調に動き出したら、別途発電機の電源を入れて発電する機構である点にも特徴を有する。また、
（５）回転・搬送機構（Ｂ）を構成する搬送ベルトの両脇にベルトの外れ防止具を設けた点にも特徴を有する。また、
（６）搬送ベルト上のバケットが回転中に食出さないように、バケット食出し防止リングをベルトの両脇に設けた点にも特徴を有する。また、
（７）バケット回転機構（Ａ）が上段、下段と連続して設けられ、且つ回転車を構成する回転弁が、上段では１サイクル回転弁であり、下段では２サイクル回転弁である点にも特徴を有する。また、
（８）バケットの生地がＰＶＣ、ナイロン等のプラスチックシート、防水加工した不織布等の軽量・耐久性の防水、機密性シートである点にも特徴を有する。